(57)【要約】【課題】ユーザが音出力に気付き難い場合には、代替処理を実行することが可能な情報処理装置を提供する。【解決手段】情報処理装置は、アラーム音を通知するアラーム通知部と、アラーム通知部によるアラーム音の通知が通知者に対して適切であるか否かを判断する判断部と、判断部の判断結果に基づいて外部装置を用いた代替処理を実行する代替処理実行部とを備える。【選択図】図２
2015216453.tif 000002
【特許請求の範囲】
【請求項１】
アラーム音を通知するアラーム通知部と、
前記アラーム通知部による前記アラーム音の通知が通知者に対して適切であるか否かを判断する判断部と、
前記判断部の判断結果に基づいて外部装置を用いた代替処理を実行する代替処理実行部とを備える、情報処理装置。
【請求項２】
前記アラーム音を集音することが可能なマイクをさらに備え、
前記判断部は、前記マイクを介して集音された前記アラーム音が所定の音圧以上か否かを判断する、請求項１記載の情報処理装置。
【請求項３】
前記所定の音圧は、前記アラーム音の設定音量に従って変更される、請求項２記載の情報処理装置。
【請求項４】
前記マイクと前記アラーム通知部とは互いに別の装置にそれぞれ設けられる、請求項２記載の情報処理装置。
【請求項５】
前記外部装置と通信可能な通信部をさらに備え、
前記代替処理実行部は、前記通信部を介して前記外部装置に所定情報を送信する、請求項１〜４のいずれか１項に記載の情報処理装置。
【発明の詳細な説明】
【技術分野】
【０００１】
本発明は、情報処理装置に関する。
【背景技術】
【０００２】
近年、携帯電話機などの情報処理装置を用いて音楽を再生して楽しむユーザが増えてきている。携帯電話機は、再生用の音楽データをイヤホンから出力したり、内蔵されたスピーカから出力する。スピーカの位置は機種によりさまざまである。筐体の主表面（操作部が配置された面）や筐体の側面にスピーカが配置されている場合、ユーザが携帯電話機を把持すると、ユーザの手でスピーカが塞がれてしまうことがある。また、筐体の裏面にスピーカが配置されている場合、携帯電話機をテーブル等の上に置くことによりスピーカが塞がれてしまうことがある。
【０００３】
この点で、特許文献１には、スピーカが塞がれているか否かをマイクを用いて判断し、スピーカの出力レベルを制御する方式が開示されている。具体的には、携帯電話機等のスピーカから出力される音をマイクが集音する。そして、マイクからの入力レベルが下がった場合には、スピーカが塞がれていると判断し、スピーカの出力を調整する技術が示されている。
【先行技術文献】
【特許文献】
【０００４】
【特許文献１】特開２０１３−２０１６８１号公報
【発明の概要】
【発明が解決しようとする課題】
【０００５】
しかしながら、上記特許文献１に示される処理では、スピーカが塞がれている場合に出力レベルを上げた場合であっても限界があり、最大音量となるように出力レベルを調整した場合でもスピーカが塞がれるような吸音状態の場合には、ユーザが音出力に気付き難いという場合がある。
【０００６】
本発明は、上記のような課題を解決するためになされたものであって、ユーザが音出力に気付き難い場合には、代替処理を実行することが可能な情報処理装置を提供することを目的とする。
【課題を解決するための手段】
【０００７】
本発明のある局面に従う情報処理装置は、アラーム音を通知するアラーム通知部と、アラーム通知部によるアラーム音の通知が通知者に対して適切であるか否かを判断する判断部と、判断部の判断結果に基づいて外部装置を用いた代替処理を実行する代替処理実行部とを備える。
【０００８】
好ましくは、情報処理装置は、アラーム音を集音することが可能なマイクをさらに備える。判断部は、マイクを介して集音されたアラーム音が所定の音圧以上か否かを判断する。
【０００９】
好ましくは、所定の音圧は、アラーム音の設定音量に従って変更される。
好ましくは、マイクとアラーム通知部とは互いに別の装置にそれぞれ設けられる。
【００１０】
好ましくは、情報処理装置は、外部装置と通信可能な通信部をさらに備える。代替処理実行部は、通信部を介して外部装置に所定情報を送信する。
【発明の効果】
【００１１】
情報処理装置は、ユーザが音出力に気付き難い場合には、代替処理を実行することが可能である。
【図面の簡単な説明】
【００１２】
【図１】実施形態に基づく携帯電話機１０の外観を示す図である。
【図２】実施形態に基づく携帯電話機１０の内部の機能ブロックを示す図である。
【図３】ディスプレイ１３に表示されるアラーム設定画面１１１を説明する図である。
【図４】アラーム音量と、マイク入力の音圧閾値との関係について説明する図である。
【図５】実施形態に基づく状態判断部１０６における状態判定処理を説明するフロー図である。
【図６】実施形態に基づく代替処理実行部１０７における代替処理を説明するフロー図である。
【図７】実施形態に基づく代替処理実行部１０７における外部装置の代替処理の具体例を説明する図である。
【発明を実施するための形態】
【００１３】
以下、本発明の実施の形態について、図面を参照しながら詳細に説明する。なお、図中同一または相当部分には同一符号を付してその説明は繰り返さない。本例においては、携帯電話機を情報処理装置の一例として説明するが、特に携帯電話機に限られずアラーム機能等を有する装置であればどのような装置についても適用可能である。
【００１４】
＜全体構成＞
図１は、実施形態に基づく携帯電話機１０の外観を示す図である。
【００１５】
図１に示されるように、携帯電話機１０の筐体表面にはタッチパッドを有するディスプレイ１３が配置されている。ユーザは、ディスプレイ１３に表示されたアイコンやソフトウェアキーボードを指で操作することにより、携帯電話機１０に指示を入力することができる。また、携帯電話機１０は、筐体表面に、音声を集音するマイク１８とユーザが耳に当てて受話音を聞くためのレシーバ１９とを備える。また、筐体側面には、着信音、受話音、アラーム音、音楽等を外部に出力するスピーカ１７を備える。
【００１６】
このような構成を有する携帯電話機１０において、スピーカ１７が塞がれてしまう場合には、スピーカ１７から音が出力され難くなる。例えばユーザにアラーム音を通知する際には、音量が小さくなるため本例においては、外部装置を用いた代替処理を実行する。
【００１７】
＜機能ブロック構成＞
図２は、実施形態に基づく携帯電話機１０の内部の機能ブロックを示す図である。
【００１８】
図２に示されるように、携帯電話機１０は、通信部１１、記憶部１２、ディスプレイ１３、制御部１５、アンプ１７ａ、スピーカ１７、マイク１８、アンプ１８ａおよびレシーバ１９を備える。また、携帯電話機１０は、制御部１５は、主にＣＰＵ（Central Processing Unit）で構成され、記憶部１２に格納された各種のコンピュータプログラムを実行することにより各部の機能を実現する。本例においては、制御部１５は、再生部１０５と、状態判断部１０６と、代替処理実行部１０７と、アラーム設定部１０８とを含む。
【００１９】
通信部１１は、携帯電話機１０の通信機能を担い、具体的には、アンテナ、通信回路、受信信号処理回路、送信信号処理回路、エコーキャンセラなどから構成される。
【００２０】
記憶部１２は、携帯電話機１０を制御するための各種のコンピュータプログラム、画面データ、アイコン画像、各種の設定情報、メールデータ、アドレス帳データなどを記憶するためのメモリ領域である。
【００２１】
一例として、記憶部１２は、図２に示すようにアラーム音を再生部１０５で再生するためのアラーム音データ１０１を記憶している。また、図示していないが、記憶部１２は、音楽を圧縮符号化したデータである楽曲データをアラーム音データとして記憶しても良い。
【００２２】
ディスプレイ１３は、入力デバイスであるタッチパッド１０３と、表示デバイスであるＬＣＤ（Ｌｉｑｕｉｄ Ｃｒｙｓｔａｌ Ｄｉｓｐｌａｙ）１０４とを含む。なお、図示していないが、ディスプレイ１３は、光源であるＬＥＤ（Ｌｉｇｈｔ Ｅｍｉｔｔｉｎｇ Ｄｉｏｄｅ）バックライトを含む。
【００２３】
タッチパッド１０３は、静電容量方式のタッチセンサを含み、ＬＣＤ１０４に重畳して設けられている。タッチパッド１０３は、透明部材で構成され、ＬＣＤ１０４に表示された画像が見えるように構成されている。制御部１５は、タッチパッド１０３を介して各種のユーザからの操作指示を受け付ける。
【００２４】
制御部１５は、携帯電話機１０の各部と接続されており、携帯電話機１０の全体を制御する。制御部１５は、通話制御、ネットワーク接続制御、画面制御など従来の一般的な携帯電話機のプロセッサで実現される機能と同様の機能を有する。また、アラーム音を出力する時刻を設定して、当該時刻になった際にアラーム音を出力する機能も有する。
【００２５】
また、制御部１５は、スピーカ１７の出力制御機能を有する。ここでは特に、従来の一般的な携帯電話機のプロセッサで実現される機能と同様の機能については説明を省略し、スピーカ１７の出力制御に関する機能および代替処理を実行する機能について具体的に説明する。
【００２６】
アラーム設定部１０８は、アラーム音の音量、アラーム音を出力する時刻、アラーム音の代替設定等を設定する。
【００２７】
再生部１０５は、アラーム設定部１０８により設定された時刻になった場合に、記憶部１２に記憶されているアラーム音データ１０１を読み出して実行することによりアラーム音を再生する。具体的には、再生部１０５は、アラーム音をアナログ信号に変換し、アンプ１７ａに出力する。なお、圧縮符号化した音楽データをアラーム音データとして記憶している場合には、圧縮符号化データを伸張し、その後アナログ信号に変換し、アンプ１７ａに出力する。なお、アラーム音データ１０１は、予め記憶部１２に記憶されていてもよいし、通信部１１を介して外部のサーバ装置から受信して記憶部１２に記憶させてもよい。
【００２８】
状態判断部１０６は、アラーム音の通知が通知者に対して適切に通知される状態か否かを判断する。具体的には、上述したスピーカ１７が塞がれている状態か否かを判断する。
【００２９】
状態判断部１０６は、状態判断の判断結果を代替処理実行部１０７に出力する。なお、状態判断部１０６は、記憶部１２などのメモリにスピーカ１７が塞がれているか否かの判断結果を示すフラグを格納し、当該フラグに基づいて状態判断することも可能である。
【００３０】
アンプ１７ａは、スピーカ１７と接続されている。アンプ１７ａは、ゲイン調整回路などから構成される可変ゲインアンプである。
【００３１】
スピーカ１７は、ハンズフリー通話や音楽再生処理で用いられ、レシーバ１９よりも高い出力レベル（音圧）で受話音や音楽を外部に出力する。また、スピーカ１７は、アラーム音、着信音やメール受信の際の通知音等を出力する報知手段としても機能する。
【００３２】
上述した状態判断部１０６の判断結果に基づいて、アラーム音の通知が通知者に対して適切に通知されていると判断した場合（本例においてはスピーカ１７が塞がれていないと判断される場合）には、代替処理実行部１０７は代替処理を実行せず、アラーム音の通知が通知者に対して適切に通知されていないと判断した場合（本例においてはスピーカ１７が塞がれていると判断される場合）には、代替処理実行部１０７は代替処理を実行する。
【００３３】
代替処理実行部１０７は、状態判断部１０６の判断結果に基づいて代替処理を実行する。本例における代替処理は、携帯電話機１０と独立の他の外部装置を用いてアラーム音の代わりとなる処理を実行する。なお、携帯電話機１０における処理を停止し、外部装置のみ処理させても良いし、ともに処理させるようにしても良い。
【００３４】
マイク１８は、ユーザの声や外部の音を集音し、電気変換して送話音声信号を生成する機能を有する。マイク１８は、生成した送話音声信号をアンプ１８ａに出力する。
【００３５】
アンプ１８ａは、マイク１８が集音したアナログ音声信号を所定の増幅率で増幅してレベルを上げた後に、図示していないＡ／Ｄ変換部に出力する。Ａ／Ｄ変換部でデジタルデータに変換された音声信号は、制御部１５へ入力される。
【００３６】
レシーバ１９は、ユーザが携帯電話機１０を把持し耳に当てながら通話するハンドセット通話で用いられる耳あて式のイヤピースであり、ユーザが指定した出力レベルで外部に受話音を出力する。
【００３７】
図３は、ディスプレイ１３に表示されるアラーム設定画面１１１を説明する図である。
図３に示されるアラーム設定画面１１１は、アラーム音の音量を設定するための操作バー１１２を含む。
【００３８】
また、アラーム音の代わりとなる後述する代替処理を実行するための設定ダイアログ１１３も示されている。当該設定ダイアログ１１３は、ドロップダウン可能なように設けられており、複数の選択肢の中から代替処理する外部装置を選択することが可能である。本例においては、固定電話、無線スピーカ、端末等を選択することが可能であり、固定電話に設定されている場合が示されている。
【００３９】
ユーザは、操作バー１１２の上を指でなぞるドラッグ操作によりアラーム音の音量を設定することができる。本実施形態では、アラーム音の音量は、レベル０〜レベル５までの６段階に設定可能であるとする。図３の例では、アラーム音の音量は「レベル３」である。
【００４０】
また、アラーム音を出力する時刻を設定するためのアラーム時刻設定領域１１４が設けられており、タッチ操作等により希望するアラーム時刻の設定が可能である。本例においては、「１０：００」に設定されている場合が示されている。なお、特に当該時刻に限られず任意の時刻に設定することが可能である。
【００４１】
図４は、アラーム音量と、マイク入力の音圧閾値との関係について説明する図である。
図４に示されるように、アラーム音量として「０〜５」までの６段階が示されている。設定したアラーム音量でアラーム音を出力した際に、マイク入力で入力される音圧の閾値が示されている。当該音圧閾値よりも低い音圧が検出される場合に、アラーム音の通知が通知者に対して適切に通知される状態ではないと判断する。当該判断により、スピーカ１７が塞がれている状態であると判断する。
【００４２】
アラーム音量「０」の場合には、音は出力されないため音圧閾値は特に設けられていない。
【００４３】
アラーム音量「１」の場合には、音圧閾値６０ｄＢに設定する。
アラーム音量「２」の場合には、音圧閾値６５ｄＢに設定する。
【００４４】
アラーム音量「３」の場合には、音圧閾値７０ｄＢに設定する。
アラーム音量「４」の場合には、音圧閾値７５ｄＢに設定する。
【００４５】
アラーム音量「５」の場合には、音圧閾値８０ｄＢに設定する。
アラーム音量に応じて音圧閾値が変更され、通知者に対して適切に通知されるか否かを精度よく判定することが可能である。
【００４６】
図５は、実施形態に基づく状態判断部１０６における状態判定処理を説明するフロー図である。
【００４７】
図５を参照して、アラーム音が再生されたかどうかを判定する（ステップＳ１）。具体的には、アラーム設定部１０８により設定したアラーム時刻になった場合に再生部１０５がアラーム音を再生したか否かを判定する。
【００４８】
ステップＳ１において、アラーム音が再生されたと判定した場合（ステップＳ１においてＹＥＳ）に次のステップに進む。当該アラーム音が再生されていないと判断した場合（ステップＳ１においてＮＯ）には、当該状態を維持する。
【００４９】
次に、アラーム音を検出する（ステップＳ２）。具体的には、マイク１８は、スピーカ１７から出力されている再生されているアラーム音を集音し、デジタルデータに変換した音声信号が制御部１５に入力される。
【００５０】
次に、入力されたデジタルデータの振幅値に従って音圧閾値以上か否かを判断する（ステップＳ３）。
【００５１】
ステップＳ３において、音圧閾値以上であると判断した場合（ステップＳ３においてＹＥＳ）には、正常と判断する（ステップＳ５）。
【００５２】
そして、処理を終了する（エンド）。
一方、ステップＳ３において、音圧が閾値未満であると判断した場合（ステップＳ３においてＮＯ）には、異常と判断する（ステップＳ４）。
【００５３】
そして、処理を終了する（エンド）。
状態判断部１０６における判定結果は、代替処理実行部１０７に出力される。
【００５４】
図６は、実施形態に基づく代替処理実行部１０７における代替処理を説明するフロー図である。
【００５５】
図６を参照して、異常が有るか否かを判定する（ステップＳ１０）。
ステップＳ１０において、異常が有ると判定した場合（ステップＳ１０においてＹＥＳ）には、代替設定を確認する（ステップＳ１１）。具体的には、図３で設定したアラーム音の代わりとなる代替処理する設定された外部装置を確認する。
【００５６】
次に、代替設定が固定電話か否かを判断する（ステップＳ１２）。
ステップＳ１２において、固定電話であると判断した場合（ステップＳ１２においてＹＥＳ）には、固定電話に対して発信処理する（ステップＳ１３）。具体的には、自宅の固定電話として登録している番号に対して発信信号を出力し、固定電話から呼出音を出力する。
【００５７】
そして、処理を終了する（エンド）。
ステップＳ１２において、代替設定が固定電話で無いと判断した場合（ステップＳ１２においてＮＯ）には、無線スピーカか否かを判断する（ステップＳ１４）。
【００５８】
ステップＳ１４において、代替設定が無線スピーカであると判断した場合（ステップＳ１４においてＹＥＳ）には、音声出力処理する（ステップＳ１５）。具体的には、無線スピーカに対して音声データを出力する処理を実行する。無線スピーカから音声が出力される。
【００５９】
そして、処理を終了する（エンド）。
ステップＳ１４において、代替設定が無線スピーカで無いと判断した場合（ステップＳ１４においてＮＯ）には、代替設定が端末か否かを判断する（ステップＳ１６）。
【００６０】
ステップＳ１６において、代替設定が端末であると判断した場合（ステップＳ１６においてＹＥＳ）には、情報通知処理を実行する（ステップＳ１７）。具体的には、端末に対して情報データを通知する処理を実行する。
【００６１】
そして、処理を終了する（エンド）。
一方、ステップＳ１６において、代替設定が端末で無いと判断した場合（ステップＳ１６においてＮＯ）には、処理を終了する（エンド）。
【００６２】
図７は、実施形態に基づく代替処理実行部１０７における外部装置の代替処理の具体例を説明する図である。
【００６３】
図７（Ａ）は、携帯電話機１０が布団に置かれている場合に、アラーム音の通知が通知者に対して適切にされていないと判断した場合（アラーム音が小さい場合）には、携帯電話機１０が外部装置である固定電話機５０に対して発信通知して、固定電話機５０が呼出音を出力する場合が示されている。
【００６４】
当該処理により、固定電話機５０が呼出音を出力し、ユーザに対してアラーム音の代替音として呼出音を通知して、ユーザの目を覚ますあるいは、注意を喚起することが可能である。
【００６５】
図７（Ｂ）は、携帯電話機１０にヘッドセット２０が接続されている場合が示されている。ヘッドセット２０からアラーム音が出力される。アラーム音を通知するヘッドセット２０がマイク１８が設けられている携帯電話機１０とは別に設けられている場合である。アラーム音の通知が通知者に対して適切に通知されていないと判断された場合（アラーム音が小さい場合））には、携帯電話機１０が外部装置である固定電話機５０に対して発信通知して、固定電話機５０が呼出音を出力する。ユーザに対してアラーム音の代替音として呼出音を通知して、ユーザの目を覚ますあるいは、注意を喚起することが可能である。
【００６６】
図７（Ｃ）は、外部装置として無線スピーカ６０を用いる場合が示されている。アラーム音の通知が通知者に対して適切にされていないと判断した場合（アラーム音が小さい場合）には、携帯電話機１０から無線スピーカ６０に対して音声データを出力する。なお、無線スピーカ６０は、通信部１１を介して携帯電話機１０と通信可能であるものとする。無線スピーカ６０は、携帯電話機１０からの音声データを受信して、無線スピーカ６０から音声を出力する。例えば、音声データとしては、アラーム音であっても良いし、「時間ですよ」の音声が出力される音声データを出力するようにしても良い。音声データの代わりに、無線スピーカが音源を有している場合には、当該音源の音が出力されるように指示するようにしても良い。
【００６７】
図７（Ｄ）は、外部装置として端末７０を用いる場合が示されている。アラーム音の通知が通知者に対して適切にされていないと判断した場合（アラーム音が小さい場合）には、端末７０に対して情報を通知して、当該端末７０から情報を出力する。なお、端末７０は、通信部１１を介して携帯電話機１０と通信可能であるものとする。例えば、ユーザに注意を喚起する際に、例えば、「時間ですよ」の表示を出力することによりユーザに注意を喚起することが可能である。また、端末７０のＬＥＤの色を変更したり、当該注意喚起に伴い振動するようにしたり、音声を出力するようにしてもよい。
【００６８】
［その他の実施の形態］
なお、上記においては、外部装置の一例として固定電話機５０、無線スピーカ６０、端末７０について説明したが、特にこれに限られず他の外部装置を用いて代替処理を実行するようにしても良い。
【００６９】
なお、本例においては、アラーム音の通知が通知者に対して適切か否かを判断するにあたり、アラーム音に対してマイク１８を介して入力される音圧に従って判断する方式について説明したが、特に、これに限られず例えば、携帯電話機１０にヘッドセット２０が接続されている場合のような接続状態の場合には、スピーカ１７から音が出力されないため、アラーム音の通知が通知者に対して適切でないと判断するようにしても良い。
【００７０】
なお、コンピュータを機能させて、上述のフローチャートで説明したような制御を実行させるプログラムを提供することもできる。プログラムは、コンピュータのオペレーティングシステム（ＯＳ）の一部として提供されるプログラムモジュールのうち、必要なモジュールを所定の配列で所定のタイミングで呼出して処理を実行させるものでもよい。
【００７１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７２】
１０  携帯電話機、１１  通信部、１２  記憶部、１３  ディスプレイ、１５  制御部、１７  スピーカ、１７ａ，１８ａ  アンプ、１８  マイク、１９  レシーバ、２０  ヘッドセット、５０  固定電話機、６０  無線スピーカ、７０  端末。
【図１】
2015216453.tif 000003
【図２】
2015216453.tif 000004
【図３】
2015216453.tif 000005
【図４】
2015216453.tif 000006
【図５】
2015216453.tif 000007
【図６】
2015216453.tif 000008
【図７】
2015216453.tif 000009